【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
左眼用表示パネルの画面を左眼用のレンズを通過させて左眼に結像する左眼用表示部と、
右眼用表示パネルの画面を右眼用のレンズを通過させて右眼に結像する右眼用表示部と、
前記左眼用表示部及び前記右眼用表示部の画面表示を制御する表示制御部と、
を具備し、
前記左眼用表示部が前記左眼用のレンズで左眼に結像する前記左眼用表示パネルの画面位置及び前記右眼用表示部が前記右眼用のレンズで右眼に結像する前記右眼用表示パネルの画面位置の調整が正常な状態かどうかをチェックする際に、前記表示制御部は、画面中央で水平方向に伸びる横線を含んだ第１の正常表示チェック画面と画面中央で水平方向に配列された複数本の短い縦線を含んだ第２の正常表示チェック画面の組み合わせを前記左眼用表示部及び前記右眼用表示部に表示させ、前記第２の正常表示チェック画面の各縦線の上下両端に強調部を付加する、
ヘッド・マウント・ディスプレイ。
【請求項２】
前記強調部は、前記第２の正常表示チェック画面の各縦線の上下両端にそれぞれ描く短い横線である、
請求項１に記載のヘッド・マウント・ディスプレイ。
【請求項３】
前記表示制御部は、前記ヘッド・マウント・ディスプレイの起動時において、前記第１の正常表示チェック画面及び前記第２の正常表示チェック画面の組み合わせを前記左眼用表示部及び前記右眼用表示部に表示させる、
請求項１に記載のヘッド・マウント・ディスプレイ。
【請求項４】
前記左眼用表示部と前記右眼用表示部間の眼幅を調整する眼幅調整機構をさらに備え、
前記表示制御部は、前記眼幅調整機構において前記眼幅を調整する際に、画面のほぼ中央に文字列を含んだ眼幅調整画面を前記左眼用表示部及び前記右眼用表示部に表示させる、
請求項１に記載のヘッド・マウント・ディスプレイ。
【請求項５】
前記左眼用表示部と前記右眼用表示部間の眼幅を調整する眼幅調整機構をさらに備え、
前記表示制御部は、前記ヘッド・マウント・ディスプレイの起動時において、前記眼幅調整機構において前記眼幅を調整する際に用いる文字列を画面のほぼ中央に含んだ起動画面を前記左眼用表示部及び前記右眼用表示部に表示させる、
請求項１に記載のヘッド・マウント・ディスプレイ。
【請求項６】
左眼用表示パネルの画面を左眼用のレンズを通過させて左眼に結像するとともに右眼用表示パネルの画面を右眼用のレンズを通過させて右眼に結像するヘッド・マウント・ディスプレイにおいて、前記左眼用のレンズで左眼に結像する前記左眼用表示パネルの画面位置及び前記右眼用のレンズで右眼に結像する前記右眼用表示パネルの画面位置の調整が正常な状態かどうかをチェックする際に、画面中央で水平方向に伸びる横線を含んだ第１の正常表示チェック画面と画面中央で水平方向に配列された複数本の短い縦線を含んだ第２の正常表示チェック画面の組み合わせを左眼用表示部及び右眼用表示部に表示させる正常表示チェック画面表示ステップを有し、
前記正常表示チェック画面表示ステップでは、前記第２の正常表示チェック画面の各縦線の上下両端に強調部を付加する、
ヘッド・マウント・ディスプレイの表示制御方法。
【請求項７】
前記正常表示チェック画面表示ステップでは、前記第２の正常表示チェック画面の各縦線の上下両端にそれぞれ描く短い横線からなる前記強調部を描画する、
請求項６に記載のヘッド・マウント・ディスプレイの表示制御方法。
【請求項８】
前記正常表示チェック画面表示ステップでは、前記ヘッド・マウント・ディスプレイの起動時において、前記第１の正常表示チェック画面及び前記第２の正常表示チェック画面の組み合わせを前記左眼用表示部及び前記右眼用表示部に表示させる、
請求項６に記載のヘッド・マウント・ディスプレイの表示制御方法。
【請求項９】
前記ヘッド・マウント・ディスプレイは、前記左眼用表示部と前記右眼用表示部間の眼幅を調整する眼幅調整機構をさらに備え、
前記眼幅調整機構において前記眼幅を調整する際に、画面のほぼ中央に文字列を含んだ眼幅調整画面を前記左眼用表示部及び前記右眼用表示部に表示させる眼幅調整画面表示ステップをさらに有する、
請求項６に記載のヘッド・マウント・ディスプレイの表示制御方法。
【請求項１０】
前記ヘッド・マウント・ディスプレイは、前記左眼用表示部と前記右眼用表示部間の眼幅を調整する眼幅調整機構をさらに備え、
前記ヘッド・マウント・ディスプレイの起動時において、前記眼幅調整機構において前記眼幅を調整する際に用いる文字列を画面のほぼ中央に含んだ起動画面を前記左眼用表示部及び前記右眼用表示部に表示させる眼幅調整画面表示ステップをさらに有する、
請求項６に記載のヘッド・マウント・ディスプレイの表示制御方法。
【手続補正２】
【補正対象書類名】明細書
【補正対象項目名】００２１
【補正方法】変更
【補正の内容】
【００２１】
【図１】図１は、ヘッド・マウント・ディスプレイを含む画像表示システムの構成を模式的に示した図である。
【図２】図２は、ヘッド・マウント・ディスプレイ１０の内部構成を模式的に示した図である。
【図３】図３は、眼幅調整機構を装備したヘッド・マウント・ディスプレイ１０の本体の上面を俯瞰した様子を示した図である。
【図４】図４は、ヘッド・マウント・ディスプレイ１０の左右の表示パネル２２４、２２５に表示する正常表示チェック画面の構成例を示した図である。
【図５Ａ】図５Ａは、正常な状態でユーザーに観察される正常表示チェック画面例を示した図である。
【図５Ｂ】図５Ｂは、正常な状態でユーザーに観察される正常表示チェック画面例を示した図である。
【図５Ｃ】図５Ｃは、正常な状態でユーザーに観察される正常表示チェック画面例を示した図である。
【図６Ａ】図６Ａは、異常な状態でユーザーに観察される正常表示チェック画面例を示した図である。
【図６Ｂ】図６Ｂは、異常な状態でユーザーに観察される正常表示チェック画面例を示した図である。
【図６Ｃ】図６Ｃは、異常な状態でユーザーに観察される正常表示チェック画面例を示した図である。
【図７Ａ】図７Ａは、図４に示した正常表示チェック画面の問題点を説明するための図である。
【図７Ｂ】図７Ｂは、図４に示した正常表示チェック画面の問題点を説明するための図である。
【図８Ａ】図８Ａは、縦線の上下両端に短い横線からなる強調部を付加した正常表示チェック画面の観察例を示した図である。
【図８Ｂ】図８Ｂは、縦線の上下両端に短い横線からなる強調部を付加した正常表示チェック画面の観察例を示した図である。
【図９Ａ】図９Ａは、各縦線の上下両端に短い横線からなる強調部を付加した場合の、正常な状態でユーザーに観察される正常表示チェック画面例を示した図である。
【図９Ｂ】図９Ｂは、各縦線の上下両端に短い横線からなる強調部を付加した場合の、正常な状態でユーザーに観察される正常表示チェック画面例を示した図である。
【図９Ｃ】図９Ｃは、各縦線の上下両端に短い横線からなる強調部を付加した場合の、正常な状態でユーザーに観察される正常表示チェック画面例を示した図である。
【図１０Ａ】図１０Ａは、各縦線の上下両端に短い横線からなる強調部を付加した場合の、異常な状態でユーザーに観察される正常表示チェック画面例を示した図である。
【図１０Ｂ】図１０Ｂは、各縦線の上下両端に短い横線からなる強調部を付加した場合の、異常な状態でユーザーに観察される正常表示チェック画面例を示した図である。
【図１０Ｃ】図１０Ｃは、各縦線の上下両端に短い横線からなる強調部を付加した場合の、異常な状態でユーザーに観察される正常表示チェック画面例を示した図である。
【図１１】図１１は、眼幅調整時に使用可能な起動画面の構成例を示した図である。
【手続補正３】
【補正対象書類名】明細書
【補正対象項目名】００３６
【補正方法】変更
【補正の内容】
【００３６】
ユーザーがヘッド・マウント・ディスプレイ１０を装着して自ら調整する場合には、ユーザーは左右の表示部に映し出されている画像を観察しながらの作業になる。このとき、表示部から２Ｄ（若しくは３Ｄ）の自然画像が映し出されていると、ユーザーは指標を見出し難く、眼幅の調整を行なうのは困難である。そこで、例えば、ヘッド・マウント・ディスプレイ１０の起動時などにおいて、ユーザーが眼幅を調整する際には、左右の表示パネル２２４、２２５から、眼幅調整用の表示画面を表示出力することが好ましい。
【手続補正４】
【補正対象書類名】明細書
【補正対象項目名】００３７
【補正方法】変更
【補正の内容】
【００３７】
眼幅調整用の表示画面は、例えば白と黒の図形を組み合わせた簡単な幾何形状でもよく、左右の表示パネル２２４、２２５から同じパターンを同時に表示させる（若しくは、同じ形状で白黒を左右で反転させたものを同時に表示させる）ことにより、眼幅の調整を行なう際に視覚的な指標をユーザーに与えることができる（例えば、本出願人に既に譲渡されている２０１０−２８７８３５号明細書を参照のこと）。これに対し、本実施形態では、調整専用の画面ではなく、起動画面を用いて眼幅調整を行なうようにしている。また、単なる幾何形状ではなく、起動画面のほぼ中央に表示した所定サイズの文字列を用いて眼幅調整を行なうようにしている。
【手続補正５】
【補正対象書類名】明細書
【補正対象項目名】００３９
【補正方法】変更
【補正の内容】
【００３９】
図１１には、眼幅調整を兼ねたヘッド・マウント・ディスプレイ１０の起動画面の構成例を示している。画面中央のメッセージ文“ＷＥＬＣＯＭＥ！”の各文字は、丸や開口、縦線、横線、斜め線など多彩な線分を含むことから、眼幅の調整を行なう際に視覚的な指標をユーザーに与える。また、この起動画面の上段には、ユーザーがメッセージ文“ＷＥＬＣＯＭＥ！”の表示を見て、眼幅の調整を行なうことを促すために、メッセージ文「画面中央の文字がよく見えるようにスライドスイッチを調整してください。」が表示される。また、眼幅の調整を行なった後の処理を指示するために、メッセージ文「調整後、ＭＥＮＵボタンを押して次の画面に進んでください。」が表示される。
【手続補正６】
【補正対象書類名】明細書
【補正対象項目名】００５０
【補正方法】変更
【補正の内容】
【００５０】
また、図５Ｂ、図５Ｃに示したように、左眼用の正常表示チェック画面上の横線と右眼用の正常表示チェック画面上の縦線の相対位置が垂直方向に変化したとしても、交差していれば、画面位置の調整は正常な状態である。しかしながら、設計上は交差しているにも拘らず、図７Ｂ中の点線で示す縦線の部分が消えて見えてしまい、ユーザーは異常な状態と誤判定してしまう場合がある。これは、視野闘争による、非優位眼の抑制が原因であると思料される。非優位眼はユーザー毎に異なるため、事前に左眼用の正常表示チェック画面と右眼用の正常表示チェック画面を左右入れ替えて表示することは困難である。
【手続補正７】
【補正対象書類名】明細書
【補正対象項目名】００５１
【補正方法】変更
【補正の内容】
【００５１】
図７Ａ並びに図７Ｂに示したような問題点を解決する１つの方法として、本出願人は、右眼用の正常表示チェック画面に表示する各縦線の上下両端に、視認を容易にするための強調部を付加することにした。したがって、ユーザーは、上下両端の強調部の間を横線が通過しているかどうかによって、横線と各縦線が交差しているかどうかをより正確且つ確実に判定することができるようになる。また、縦線の上下両端に強調部があると、視覚的な目標となり易いので、視野闘争により非優位眼の抑制により端部の誤検出を生じ難くなる。
【手続補正８】
【補正対象書類名】図面
【補正対象項目名】図７Ｂ
【補正方法】変更
【補正の内容】
【図７Ｂ】
2013050558.tif 000001